【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
柔軟性織物パーツどうしを熱シールするための熱シーリングシステムに使用されるキャリアプレートであって、
前記柔軟性織物パーツのパーツ位置決めを案内するための１又は複数の第１のガイドと、
前記柔軟性織物パーツどうしを熱シールするための機械におけるキャリアプレートについて、該キャリアプレートの位置決めを案内するための１又は複数の第２のガイドと、を含み、
前記キャリアプレートが、（ａ）パーツ組み立て機能、（ｂ）ツールセットアップ機能、及び（ｃ）組み立て時における前記柔軟性織物パーツの品質チェックに適用される品質チェック機能、を有するキャリアプレート。
【請求項２】
機械は、キャリアプレート上の柔軟性織物パーツどうしを熱シールして、５００〜５０００ポンドのバルク材料を保持することができるバルクバッグを形成することができるように動作可能であり、前記キャリアプレートは前記機械との使用に適合している、請求項１のキャリアプレート。
【請求項３】
機械は、キャリアプレート上の柔軟性織物パーツどうしを熱シールして、５００ポンド未満のバルク材料を保持することができるバッグを形成することができるように動作可能であり、前記キャリアプレートは前記機械との使用に適合している、請求項１のキャリアプレート。
【請求項４】
キャリアプレートは、１又は複数の熱シール用バーを含む機械との使用に適合している、請求項１のキャリアプレート。
【請求項５】
パーツ組み立て機能は、キャリアプレート上の柔軟性織物パーツを、重なり領域で、柔軟性織物パーツの１つが別の柔軟性織物パーツに重なるように整列させることができ、ツールセットアップ機能は、前記柔軟性織物パーツどうしを熱シールするための熱シール用バーが前記重なり領域の上に位置するように、前記機械におけるキャリアプレートを整列させることができる、請求項４のキャリアプレート。
【請求項６】
キャリアプレートは、第１の開口部を含み、
機械は、第１の上側熱シール用バーと第１の下側熱シール用バーとを含み、
パーツ組み立て機能は、柔軟性織物パーツの１つが、前記第１の開口部の上の第１の重なり領域で別の柔軟性織物パーツに重なるように、２つの柔軟性織物パーツを前記第１の開口部の上で整列させることができ、
ツールセットアップ機能は、前記第１の上側熱シール用バーが、前記第１の開口部の上の第１の重なり領域の上に位置し、前記第１の下側熱シール用バーが、前記第１の開口部の下の第１の重なり領域の下に位置して、前記上側熱シール用バーと前記下側熱シール用バーとが、前記第１の重なり領域で前記柔軟性織物パーツどうしを熱シールすることができるように、前記機械における前記キャリアプレートを整列させることができる、請求項１のキャリアプレート。
【請求項７】
キャリアプレートは、第２の開口部を含み、
機械は、第２の上側熱シール用バーと第２の下側熱シール用バーとを含み、
パーツ組み立て機能は、柔軟性織物パーツの１つが、前記第２の開口部の上の第２の重なり領域で別の柔軟性織物パーツに重なるように、２つの柔軟性織物パーツを前記第２の開口部の上に整列させることができ、
ツールセットアップ機能は、前記第２の上側熱シール用バーが、前記第２の開口部の上の第２の重なり領域の上に位置し、前記第２の下側熱シール用バーが、前記第２の開口部の下の第２の重なり領域の下に位置して、前記上側熱シール用バーと前記下側熱シール用バーとが、前記第２の重なり領域で前記柔軟性織物パーツどうしを熱シールすることができるように、前記機械における前記キャリアプレートを整列させることができる、請求項６のキャリアプレート。
【請求項８】
キャリアプレートは、第３の開口部を含み、
機械は、第３の上側熱シール用バーと第３の下側熱シール用バーとを含み、
パーツ組み立て機能は、柔軟性織物パーツの１つが、前記第３の開口部の上の第３の重なり領域で別の柔軟性織物パーツに重なるように、２つの柔軟性織物パーツを前記第３の開口部の上に整列させることができ、
ツールセットアップ機能は、前記第３の上側熱シール用バーが、前記第３の開口部の上の第３の重なり領域の上に位置し、前記第３の下側熱シール用バーが、前記第３の開口部の下の第３の重なり領域の下に位置して、前記上側熱シール用バーと前記下側熱シール用バーとが、前記第３の重なり領域で前記柔軟性織物パーツどうしを熱シールすることができるように、前記機械における前記キャリアプレートを整列させることができる、請求項７のキャリアプレート。
【請求項９】
キャリアプレートは、第４の開口部を含み、
機械は、第４の上側熱シール用バーと第４の下側熱シール用バーとを含み、
パーツ組み立て機能は、柔軟性織物パーツの１つが、前記第４の開口部の上の第４の重なり領域で別の柔軟性織物パーツに重なるように、２つの柔軟性織物パーツを前記第４の開口部の上に整列させることができ、
ツールセットアップ機能は、前記第４の上側熱シール用バーが、前記第４の開口部の上の第４の重なり領域の上に位置し、前記第４の下側熱シール用バーが、前記第４の開口部の下の第４の重なり領域の下に位置して、前記上側熱シール用バーと前記下側熱シール用バーとが、前記第４の重なり領域で前記柔軟性織物パーツどうしを熱シールすることができるように、前記機械における前記キャリアプレートを整列させることができる、請求項８のキャリアプレート。
【請求項１０】
キャリアプレートは、１又は複数の熱シール用バーと使用できるよう構成され、前記１又は複数の熱シール用バーは、柔軟性織物パーツが前記キャリアプレート上で熱シールが行われる間、自動的に整列することができるよう構成されている、請求項４のキャリアプレート。
【請求項１１】
キャリアプレートは、第１の上側熱シール用バー及び第１の下側熱シール用バーと使用できるよう構成され、前記第１の上側熱シール用バーは、柔軟性織物パーツがキャリアプレート上で熱シールが行われる間、自動的に整列することができるよう構成されている、請求項６のキャリアプレート。
【請求項１２】
柔軟性織物パーツどうしを熱シールするための熱シーリングシステムに使用されるキャリアプレートであって、
前記柔軟性織物パーツのパーツ位置決めを案内し、前記柔軟性織物パーツが重ねられた熱シール領域の形成を案内するための１又は複数の第１のガイドと、
熱シール用バーアッセンブリを有する機械におけるキャリアプレートの位置決めを案内するための１又は複数の第２のガイドと、を含み、
前記１又は複数の第２のガイドは、前記熱シール用バーアッセンブリが、前記重ねられた熱シール領域で、キャリアプレート上にある前記柔軟性織物パーツの２つを接合することができ、
前記キャリアプレートは、前記柔軟性織物パーツの寸法を品質チェックすることができる品質チェック機能を有する、キャリアプレート。
【請求項１３】
キャリアプレートは、前記機械が、前記キャリアプレート上にある柔軟性織物パーツどうしを熱シールして、５００〜５０００ポンドのバルク材料を保持することができるバルクバッグを形成することができるよう構成される、請求項１２のキャリアプレート。
【請求項１４】
キャリアプレートは、前記機械が、前記キャリアプレート上にある柔軟性織物パーツどうしを熱シールして、５００ポンド未満のバルク材料を保持することができるバッグを形成することができるよう構成される、請求項１２のキャリアプレート。
【請求項１５】
キャリアプレートは、２以上の熱シール用バーアッセンブリを含む機械に使用されるよう構成される、請求項１２のキャリアプレート。
【請求項１６】
１又は複数の第２のガイドは、柔軟性織物パーツが重ねられた熱シール領域で前記柔軟性織物パーツどうしを接合するための熱シール用バーアッセンブリが、前記重ねられた熱シール領域の上に位置するように、前記柔軟性織物パーツが組み立てられた機械におけるキャリアプレートを整列させることができる、請求項１２のキャリアプレート。
【請求項１７】
キャリアプレートは開口部を含み、柔軟性織物パーツが重ねられた熱シール領域は前記開口部の上で位置決め可能であり、１又は複数の第２のガイドは、熱シール用バーアッセンブリが、前記重ねられた熱シール領域で、前記キャリアプレート上に位置決めされた柔軟性織物パーツを接合することができるように、前記機械の前記開口部を整列させることができる、請求項１２のキャリアプレート。
【請求項１８】
キャリアプレートは２以上の開口部を含み、２以上の熱シール用バーアッセンブリはそれぞれ、上側シール用バーと下側シール用バーとを含み、１又は複数の第２のガイドは、熱シール用バーアッセンブリの前記上側シール用バーと前記下側シール用バーとの間で前記開口部の各開口部を整列させることができる、請求項１５のキャリアプレート。
【請求項１９】
キャリアプレートは、熱シール用バーアッセンブリと使用できるように構成され、前記熱シール用バーアッセンブリは、前記キャリアプレート上にある柔軟性織物パーツの熱シールが行われる間、自動的に整列することができる、請求項１２のキャリアプレート。
【請求項２０】
キャリアプレートは、２以上の熱シール用バーアッセンブリと使用できるように構成され、前記熱シール用バーアッセンブリは、前記キャリアプレート上にある柔軟性織物パーツの熱シールが行われる間、自動的に整列することができる、請求項１５のキャリアプレート。
【請求項２１】
熱シーリングシステムに使用されるキャリアプレートであって、
パーツの位置決めを案内するための１又は複数の第１のガイドと、
機械における位置決めを案内するための１又は複数の第２のガイドと、を含み、
前記キャリアプレートが、（ａ）パーツ組み立て、（ｂ）ツールセットアップ機能、及び（ｃ）組み立て時におけるパーツの品質チェックとして動作可能である、キャリアプレート。